(57)【要約】  無線通信機器による電力消費を低減するための方法が開示される。本方法は、無線通信機器が、第１の測定ギャップの間に代替セルの第１の測定を実行することと、第１の測定に基づき生成された第１の測定レポートをサービングセルへ送信することと、第１の測定レポートを記憶することと、無線通信機器の移動性状態を判定することと、移動性状態を移動性閾値基準と比較することと、移動性状態が移動性基準を満たす場合には、第１の測定レポートを第２の測定ギャップのためのレポートとしてサービングネットワークへ再送信することと、移動性状態が移動性閾値基準を満たさない場合には、第２の測定ギャップの間に代替セルの第２の測定を実行し、第２の測定に基づき生成された第２の測定レポートをサービングセルへ送信することと、を含むことができる。
2016509411.tif 000002
【特許請求の範囲】
【請求項１】
測定頻度の低減を通じて電力消費を低減するための方法であって、前記方法は、無線通信機器が、
第１の測定ギャップの間に代替セルの第１の測定を実行することと、
前記第１の測定に少なくとも一部基づき生成された第１の測定レポートをサービングネットワークのサービングセルへ送信することと、
前記無線通信機器の移動性状態を判定することと、
前記移動性状態を移動性閾値基準と比較することであって、前記移動性状態が前記移動性閾値基準を満たす場合には、前記無線通信機器の移動性は移動性閾値を超えない、比較することと、
前記移動性状態が前記移動性閾値基準を満たす場合には、前記第１の測定レポートを第２の測定ギャップのための測定レポートとして前記サービングセルへ再送信することと、
前記移動性状態が前記移動性閾値基準を満たさない場合には、前記第２の測定ギャップの間に前記代替セルの第２の測定を実行し、前記第２の測定に少なくとも一部基づき生成された第２の測定レポートを前記サービングセルへ送信することと、を含むことを特徴とする、測定頻度の低減を通じて電力消費を低減するための方法。
【請求項２】
前記無線通信機器の前記移動性状態を判定することが、前記第１の測定の実行以降における前記無線通信機器の位置の変化を判定することを含み、
前記移動性閾値基準が位置の閾値変化を含み、
前記第１の測定の実行以降における前記無線通信機器の位置の前記変化が位置の前記閾値変化を超えない場合には、前記移動性状態が前記移動性閾値基準を満たすことを特徴とする、請求項１に記載の測定頻度の低減を通じて電力消費を低減するための方法。
【請求項３】
前記無線通信機器の前記移動性状態を判定することが、前記無線通信機器の速度を判定することを含み、
前記移動性閾値基準が閾値速度を含み、
前記無線通信機器の前記速度が前記閾値速度を超えない場合には、前記移動性状態が前記移動性閾値基準を満たすことを特徴とする、請求項１に記載の測定頻度の低減を通じて電力消費を低減するための方法。
【請求項４】
前記無線通信機器の前記移動性状態を判定することが、前記サービングセルの信号品質の変化を判定することを含み、
前記移動性閾値基準が信号品質の閾値変化を含み、
前記サービングセルの信号品質の前記変化が信号品質の前記閾値変化を超えない場合には、前記移動性状態が前記移動性閾値基準を満たすことを特徴とする、請求項１に記載の測定頻度の低減を通じて電力消費を低減するための方法。
【請求項５】
前記サービングネットワークが第１の無線アクセス技術（ＲＡＴ）を用い、前記代替セルが第２のＲＡＴを用い、前記第１の測定レポートがＲＡＴ間（ｉＲＡＴ）測定レポートを含むことを特徴とする、請求項１から４のいずれか一項に記載の測定頻度の低減を通じて電力消費を低減するための方法。
【請求項６】
前記無線通信機器が、
前記移動性状態が前記移動性閾値基準を満たす場合には、前記第２の測定ギャップの間に、前記第２のＲＡＴに関連付けられた第２のスタックを非アクティブ化状態に維持することと、
前記移動性状態が前記移動性閾値基準を満たさない場合には、前記第２の測定ギャップの間に、前記第１のＲＡＴに関連付けられた第１のスタックから前記第２のスタックへ移行することと、を含むことを特徴とする、請求項５に記載の測定頻度の低減を通じて電力消費を低減するための方法。
【請求項７】
前記第１のＲＡＴがロングタームエボリューション（ＬＴＥ）ＲＡＴであり、前記第２のＲＡＴが第２世代（２Ｇ）ＲＡＴ又は第３世代（３Ｇ）ＲＡＴのうちの１つであることを特徴とする、請求項５に記載の測定頻度の低減を通じて電力消費を低減するための方法。
【請求項８】
前記代替セルが前記サービングネットワークの隣接セルを含み、前記第１の測定レポートが周波数間測定レポートを含むことを特徴とする、請求項１から４のいずれか一項に記載の測定頻度の低減を通じて電力消費を低減するための方法。
【請求項９】
前記無線通信機器が、
前記第１の測定レポートは最大閾値数の連続した測定ギャップのために再送信されたのかどうかを判定することと、
前記第１の測定レポートが前記最大閾値数の連続した測定ギャップのために再送信された場合には、たとえ、前記移動性状態が前記移動性閾値基準を満たす場合であっても、前記第２の測定ギャップの間に前記代替セルの前記第２の測定を実行し、前記第２の測定に少なくとも一部基づき生成された前記第２の測定レポートを前記サービングセルへ送信することと、を更に含むことを特徴とする、請求項１から４のいずれか一項に記載の測定頻度の低減を通じて電力消費を低減するための方法。
【請求項１０】
前記無線通信機器が、前記移動性状態に少なくとも一部基づき、連続した測定ギャップの前記最大閾値数を定義することを更に含むことを特徴とする、請求項９に記載の測定頻度の低減を通じて電力消費を低減するための方法。
【請求項１１】
前記無線通信機器が前記サービングネットワーク上で接続モードになっていることを特徴とする、請求項１から４のいずれか一項に記載の測定頻度の低減を通じて電力消費を低減するための方法。
【請求項１２】
処理回路を備える無線通信機器であって、前記処理回路は前記無線通信機器に少なくとも、
第１の測定ギャップの間に代替セルの第１の測定を実行させ、
前記第１の測定に少なくとも一部基づき生成された第１の測定レポートをサービングネットワークのサービングセルへ送信させ、
前記無線通信機器の移動性状態を判定させ、
前記移動性状態を移動性閾値基準と比較させ、
前記移動性状態が前記移動性閾値基準を満たす場合には、前記第１の測定レポートを第２の測定ギャップのための測定レポートとして前記サービングセルへ再送信させ、及び
前記移動性状態が前記移動性閾値基準を満たさない場合には、前記第２の測定ギャップの間に前記代替セルの第２の測定を実行させ、前記第２の測定に少なくとも一部基づき生成された第２の測定レポートを前記サービングセルへ送信させる、ように構成されることを特徴とする、処理回路を備える無線通信機器。
【請求項１３】
前記処理回路が、前記無線通信機器に、
少なくとも一部は、前記無線通信機器に、前記第１の測定の実行以降における前記無線通信機器の位置の変化を判定させることによって、前記無線通信機器の前記移動性状態を判定させるように更に構成され、
前記移動性閾値基準が位置の閾値変化を含み、
前記第１の測定の実行以降における前記無線通信機器の位置の前記変化が位置の前記閾値変化を超えない場合には、前記移動性状態が前記移動性閾値基準を満たすことを特徴とする、請求項１２に記載の処理回路を備える無線通信機器。
【請求項１４】
前記処理回路が、前記無線通信機器に、
少なくとも一部は、前記無線通信機器に前記無線通信機器の速度を判定させることによって、前記無線通信機器の前記移動性状態を判定させるように更に構成され、
前記移動性閾値基準が閾値速度を含み、
前記無線通信機器の前記速度が前記閾値速度を超えない場合には、前記移動性状態が前記移動性閾値基準を満たすことを特徴とする、請求項１２に記載の処理回路を備える無線通信機器。
【請求項１５】
前記処理回路が、前記無線通信機器に、
少なくとも一部は、前記無線通信機器に前記サービングセルの信号品質の変化を判定させることによって、前記無線通信機器の前記移動性状態を判定させるように更に構成され、
前記移動性閾値基準が信号品質の閾値変化を含み、
前記サービングセルの信号品質の前記変化が信号品質の前記閾値変化を超えない場合には、前記移動性状態が前記移動性閾値基準を満たすことを特徴とする、請求項１２に記載の処理回路を備える無線通信機器。
【請求項１６】
前記サービングネットワークが第１の無線アクセス技術（ＲＡＴ）を用い、前記代替セルが第２のＲＡＴを用い、前記第１の測定レポートがＲＡＴ間（ｉＲＡＴ）測定レポートを含むことを特徴とする、請求項１２から１５のいずれか一項に記載の処理回路を備える無線通信機器。
【請求項１７】
前記処理回路が、前記無線通信機器に、
前記移動性状態が前記移動性閾値基準を満たす場合には、前記第２の測定ギャップの間に、前記第２のＲＡＴに関連付けられた第２のスタックを非アクティブ化状態に維持させ、及び、
前記移動性状態が前記移動性閾値基準を満たさない場合には、前記第２の測定ギャップの間に、前記第１のＲＡＴに関連付けられた第１のスタックから前記第２のスタックへ移行させる、ように更に構成されることを特徴とする、請求項１６に記載の処理回路を備える無線通信機器。
【請求項１８】
前記第１のＲＡＴがロングタームエボリューション（ＬＴＥ）ＲＡＴであり、前記第２のＲＡＴが第２世代（２Ｇ）ＲＡＴ又は第３世代（３Ｇ）ＲＡＴのうちの１つであることを特徴とする、請求項１６に記載の処理回路を備える無線通信機器。
【請求項１９】
前記代替セルが前記サービングネットワークの隣接セルを含み、前記第１の測定レポートが周波数間測定レポートを含むことを特徴とする、請求項１２から１５のいずれか一項に記載の処理回路を備える無線通信機器。
【請求項２０】
前記処理回路が、前記無線通信機器に、
前記第１の測定レポートは最大閾値数の連続した測定ギャップのために再送信されたのかどうかを判定させ、及び
前記第１の測定レポートが前記最大閾値数の連続した測定ギャップのために再送信された場合には、たとえ、前記移動性状態が前記移動性閾値基準を満たす場合であっても、前記第２の測定ギャップの間に前記代替セルの前記第２の測定を実行させ、前記第２の測定に少なくとも一部基づき生成された前記第２の測定レポートを前記サービングセルへ送信させる、ように更に構成されることを特徴とする、請求項１２から１５のいずれか一項に記載の処理回路を備える無線通信機器。
【請求項２１】
前記処理回路が、前記無線通信機器に、
前記移動性状態に少なくとも一部基づき、連続した測定ギャップの前記最大閾値数を定義させるように更に構成されることを特徴とする、請求項２０に記載の処理回路を備える無線通信機器。
【請求項２２】
前記無線通信機器が前記サービングネットワーク上で接続モードになっていることを特徴とする、請求項１２から１５のいずれか一項に記載の処理回路を備える無線通信機器。
【請求項２３】
永続的コンピュータ可読記憶媒体であって、前記永続的コンピュータ可読記憶媒体は、その上に記憶されたコンピュータプログラムコードを有し、前記コンピュータプログラムコードは、無線通信機器上に実装された１つ以上のプロセッサによって実行されると前記無線通信機器に方法を実行させるように構成されるプログラムコードを含み、前記方法は、
第１の測定ギャップの間に代替セルの第１の測定を実行することと、
前記第１の測定に少なくとも一部基づき生成された第１の測定レポートをサービングネットワークのサービングセルへ送信することと、
前記無線通信機器の移動性状態を判定することと、
前記移動性状態を移動性閾値基準と比較することと、
前記移動性状態が前記移動性閾値基準を満たす場合には、前記第１の測定レポートを第２の測定ギャップのための測定レポートとして前記サービングセルへ再送信することと、
前記移動性状態が前記移動性閾値基準を満たさない場合には、前記第２の測定ギャップの間に前記代替セルの第２の測定を実行し、前記第２の測定に少なくとも一部基づき生成された第２の測定レポートを前記サービングセルへ送信することと、を含むことを特徴とする、永続的コンピュータ可読記憶媒体。
【請求項２４】
前記無線通信機器の前記移動性状態を判定することが、前記第１の測定の実行以降における前記無線通信機器の位置の変化を判定することを含み、
前記移動性閾値基準が位置の閾値変化を含み、
前記第１の測定の実行以降の前記無線通信機器の位置の前記変化が位置の前記閾値変化を超えない場合には、前記移動性状態が前記移動性閾値基準を満たすことを特徴とする、請求項２３に記載の永続的コンピュータ可読記憶媒体。
【請求項２５】
前記無線通信機器の前記移動性状態を判定することが、前記無線通信機器の速度を判定することを含み、
前記移動性閾値基準が閾値速度を含み、
前記無線通信機器の前記速度が前記閾値速度を超えない場合には、前記移動性状態が前記移動性閾値基準を満たすことを特徴とする、請求項２３に記載の永続的コンピュータ可読記憶媒体。
【請求項２６】
前記無線通信機器の前記移動性状態を判定することが、前記サービングセルの信号品質の変化を判定することを含み、
前記移動性閾値基準が信号品質の閾値変化を含み、
前記サービングセルの信号品質の前記変化が信号品質の前記閾値変化を超えない場合には、前記移動性状態が前記移動性閾値基準を満たすことを特徴とする、請求項２３に記載の永続的コンピュータ可読記憶媒体。
【請求項２７】
前記サービングネットワークが第１の無線アクセス技術（ＲＡＴ）を用い、前記代替セルが第２のＲＡＴを用い、前記第１の測定レポートがＲＡＴ間（ｉＲＡＴ）測定レポートを含むことを特徴とする、請求項２３から２６のいずれか一項に記載の永続的コンピュータ可読記憶媒体。
【請求項２８】
前記方法が、
前記移動性状態が前記移動性閾値基準を満たす場合には、前記第２の測定ギャップの間に、前記第２のＲＡＴに関連付けられた第２のスタックを非アクティブ化状態に維持することと、
前記移動性状態が前記移動性閾値基準を満たさない場合には、前記第２の測定ギャップの間に、前記第１のＲＡＴに関連付けられた第１のスタックから前記第２のスタックへ移行することと、を更に含むことを特徴とする、請求項２７に記載の永続的コンピュータ可読記憶媒体。
【請求項２９】
前記第１のＲＡＴがロングタームエボリューション（ＬＴＥ）ＲＡＴであり、前記第２のＲＡＴが第２世代（２Ｇ）ＲＡＴ又は第３世代（３Ｇ）ＲＡＴのうちの１つであることを特徴とする、請求項２７に記載の永続的コンピュータ可読記憶媒体。
【請求項３０】
前記代替セルが前記サービングネットワークの隣接セルを含み、前記第１の測定レポートが周波数間測定レポートを含むことを特徴とする、請求項２３から２６のいずれか一項に記載の永続的コンピュータ可読記憶媒体。
【請求項３１】
前記方法が、
前記第１の測定レポートは最大閾値数の連続した測定ギャップのために再送信されたのかどうかを判定することと、
前記第１の測定レポートが前記最大閾値数の連続した測定ギャップのために再送信された場合には、たとえ、前記移動性状態が前記移動性閾値基準を満たす場合であっても、前記第２の測定ギャップの間に前記代替セルの前記第２の測定を実行し、前記第２の測定に少なくとも一部基づき生成された前記第２の測定レポートを前記サービングセルへ送信することと、を更に含むことを特徴とする、請求項２３から２６のいずれか一項に記載の永続的コンピュータ可読記憶媒体。
【請求項３２】
前記方法が、前記移動性状態に少なくとも一部基づき、連続した測定ギャップの前記最大閾値数を定義することを更に含むことを特徴とする、請求項３１に記載の永続的コンピュータ可読記憶媒体。
【請求項３３】
前記無線通信機器が前記サービングネットワーク上で接続モードになっていることを特徴とする、請求項２３から２６のいずれか一項に記載の永続的コンピュータ可読記憶媒体。
【請求項３４】
測定頻度の低減を通じて無線通信機器による電力消費を低減するための装置であって、前記装置は、
第１の測定ギャップの間に代替セルの第１の測定を実行する手段と、
前記第１の測定に少なくとも一部基づき生成された第１の測定レポートをサービングネットワークのサービングセルへ送信する手段と、
前記無線通信機器の移動性状態を判定する手段と、
前記移動性状態を移動性閾値基準と比較する手段であって、前記移動性状態が前記移動性閾値基準を満たす場合には、前記無線通信機器の移動性は移動性閾値を超えない、比較する手段と、
前記移動性状態が前記移動性閾値基準を満たす場合には、前記第１の測定レポートを第２の測定ギャップのための測定レポートとして前記サービングセルへ再送信する手段と、
前記移動性状態が前記移動性閾値基準を満たさない場合には、前記第２の測定ギャップの間に前記代替セルの第２の測定を実行し、前記第２の測定に少なくとも一部基づき生成された第２の測定レポートを前記サービングセルへ送信する手段と、を備えることを特徴する、測定頻度の低減を通じて無線通信機器による電力消費を低減するための装置。
【請求項３５】
前記無線通信機器の前記移動性状態を判定する前記手段が、前記第１の測定の実行以降における前記無線通信機器の位置の変化を判定する手段を含み、
前記移動性閾値基準が位置の閾値変化を含み、
前記第１の測定の実行以降における前記無線通信機器の位置の前記変化が位置の前記閾値変化を超えない場合には、前記移動性状態が前記移動性閾値基準を満たすことを特徴する、請求項３４に記載の測定頻度の低減を通じて無線通信機器による電力消費を低減するための装置。
【請求項３６】
前記無線通信機器の前記移動性状態を判定する前記手段が、前記無線通信機器の速度を判定する手段を含み、
前記移動性閾値基準が閾値速度を含み、
前記無線通信機器の前記速度が前記閾値速度を超えない場合には、前記移動性状態が前記移動性閾値基準を満たすことを特徴する、請求項３４に記載の測定頻度の低減を通じて無線通信機器による電力消費を低減するための装置。
【請求項３７】
前記無線通信機器の前記移動性状態を判定する前記手段が、前記サービングセルの信号品質の変化を判定する手段を含み、
前記移動性閾値基準が信号品質の閾値変化を含み、
前記サービングセルの信号品質の前記変化が信号品質の前記閾値変化を超えない場合には、前記移動性状態が前記移動性閾値基準を満たすことを特徴する、請求項３４に記載の測定頻度の低減を通じて無線通信機器による電力消費を低減するための装置。
【請求項３８】
前記サービングネットワークが第１の無線アクセス技術（ＲＡＴ）を用い、前記代替セルが第２のＲＡＴを用い、前記第１の測定レポートがＲＡＴ間（ｉＲＡＴ）測定レポートを含むことを特徴する、請求項３４から３７のいずれか一項に記載の測定頻度の低減を通じて無線通信機器による電力消費を低減するための装置。
【請求項３９】
前記移動性状態が前記移動性閾値基準を満たす場合には、前記第２の測定ギャップの間に、前記第２のＲＡＴに関連付けられた第２のスタックを非アクティブ化状態に維持する手段と、
前記移動性状態が前記移動性閾値基準を満たさない場合には、前記第２の測定ギャップの間に、前記第１のＲＡＴに関連付けられた第１のスタックから前記第２のスタックへ移行する手段と、を更に備えることを特徴する、請求項３８に記載の測定頻度の低減を通じて無線通信機器による電力消費を低減するための装置。
【請求項４０】
前記第１のＲＡＴがロングタームエボリューション（ＬＴＥ）ＲＡＴであり、前記第２のＲＡＴが第２世代（２Ｇ）ＲＡＴ又は第３世代（３Ｇ）ＲＡＴのうちの１つであることを特徴する、請求項３８に記載の測定頻度の低減を通じて無線通信機器による電力消費を低減するための装置。
【請求項４１】
前記代替セルが前記サービングネットワークの隣接セルを含み、前記第１の測定レポートが周波数間測定レポートを含むことを特徴する、請求項３４から３７のいずれか一項に記載の測定頻度の低減を通じて無線通信機器による電力消費を低減するための装置。
【請求項４２】
前記第１の測定レポートは最大閾値数の連続した測定ギャップのために再送信されたのかどうかを判定する手段と、
前記第１の測定レポートが前記最大閾値数の連続した測定ギャップのために再送信された場合には、たとえ、前記移動性状態が前記移動性閾値基準を満たす場合であっても、前記第２の測定ギャップの間に前記代替セルの前記第２の測定を実行し、前記第２の測定に少なくとも一部基づき生成された前記第２の測定レポートを前記サービングセルへ送信する手段と、を更に備えることを特徴する、請求項３４から３７のいずれか一項に記載の測定頻度の低減を通じて無線通信機器による電力消費を低減するための装置。
【請求項４３】
前記移動性状態に少なくとも一部基づき、連続した測定ギャップの前記最大閾値数を定義する手段を更に備えることを特徴する、請求項４２に記載の測定頻度の低減を通じて無線通信機器による電力消費を低減するための装置。
【請求項４４】
前記無線通信機器が前記サービングネットワーク上で接続モードになっていることを特徴する、請求項３４から３７のいずれか一項に記載の測定頻度の低減を通じて無線通信機器による電力消費を低減するための装置。
【発明の詳細な説明】
【技術分野】
【０００１】
説明される実施形態は、全般的に、無線通信に関する。より詳細には、本実施形態は、測定頻度の低減を通じて電力消費を低減することに関する。
【背景技術】
【０００２】
サービングセル上に接続モードでキャンプする無線通信機器は、無線通信機器が、第２のセルを測定するためにサービングセルから離調することができる時間インターバルである、測定ギャップを有するように構成することができる。その後、無線通信機器は、第２のセルの測定に基づきサービングネットワークへ測定レポートを送信することができる。サービングネットワークは、この測定レポートを、ハンドオーバ決定のためのベースとして使用することができる。
【０００３】
測定ギャップの間に測定を実行することは無線通信機器にとって電力消費の観点から非常にコストが高くなり得る。この点に関して、無線通信機器は、サービングセルによって用いられている周波数から離調し、第２のセルによって用いられている可能性のある第２の周波数に同調しなければならず、及び／又は第２のセルの測定を実行するために、サービングセルによって用いられることができる無線アクセス技術（ＲＡＴ：radio access technology）のためのスタックから、第２のセルによって用いられている可能性のある第２のＲＡＴのために用いられることができるスタックへ一時的に切り換えなければならない場合がある。その後、無線通信機器は、元のサービングセルへ移行する前に、第２のセルの測定を実行することができる。第２のセルの測定を実行するためにサービングセルから離調し、その後、サービングセルへ戻るこのプロセスは、電力消費の点で激しいものとなり得、これは電池寿命を制限し、ユーザエクスペリエンスに悪影響を与え得る。しかし、多くの場合、測定ギャップの間の測定の実行は、以前の測定から知られたもの以上の追加情報を何ももたらさない。
【発明の概要】
【０００４】
本明細書に開示されているいくつかの例示的実施形態は測定頻度の低減を通じて無線通信機器による電力消費を低減する。より具体的には、いくつかの例示的実施形態は、無線通信機器の移動性状態に少なくとも一部基づき測定ギャップの間に測定を実行するかどうかを選択的に決定するように構成される無線通信機器を提供する。この点に関して、いくつかのこのような例示的実施形態の無線通信機器は機器の移動性状態を移動性閾値基準と比較することができる。機器が静止状態であるか、又は移動性の比較的高い状態でない場合など、移動性状態が移動性閾値基準を満たす場合には、新たな測定は有意な新たな情報を何ももたらさないと考えられるため、機器は、新たな測定を実行することなく、前の測定レポートをサービングネットワークへ再送信することができる。そのため、新たな測定の実行を省略することによって電力消費を節約することができる。しかし、機器が移動している場合など、移動性状態が移動性閾値基準を満たさない場合には、新たな測定は新たな情報をもたらし得るため、いくつかの例示的実施形態の無線通信機器は測定ギャップの間に新たな測定を実行することができ、新たな測定に基づき生成された新たな測定レポートをサービングネットワークへ送信することができる。
【０００５】
本概要は、本開示に係るいくつかの態様に関する基本的な理解を提供するために、いくつかの例示的実施形態を要約する目的でのみ提供されるものである。したがって、上記の例示的実施形態は単に例であって、本開示の趣旨の範囲をいかなる意味においても狭めると解釈されないことが理解されよう。他の実施形態、態様、及び利点は、例として、記載される実施形態の原理を例示する添付図とともに考慮される、下記の「発明を実施するための形態」から明らかとなるであろう。
【図面の簡単な説明】
【０００６】
添付の図面とともに以下の「発明を実施するための形態」により本開示は容易に理解されるであろう。図中、同一符号は同一の構造要素を示す。
【０００７】
【図１】いくつかの例示的実施形態に係る無線通信システムを示す。
【０００８】
【図２】いくつかの例示的実施形態に係る無線通信機器上に実装可能な装置のブロック図を示す。
【０００９】
【図３】いくつかの例示的実施形態に係る測定頻度の低減を通じて電力消費を低減するための方法例のフローチャートを示す。
【００１０】
【図４】いくつかの例示的実施形態に係る測定頻度の低減を通じて電力消費を低減するための別の方法例のフローチャートを示す。
【００１１】
【図５】いくつかの例示的実施形態に係るＲＡＴ間（ｉＲＡＴ）測定頻度の低減を通じて電力消費を低減するための方法例のフローチャートを示す。
【００１２】
【図６】いくつかの例示的実施形態に係る周波数間測定頻度の低減を通じて電力消費を低減するための方法例のフローチャートを示す。
【００１３】
【図７】いくつかの例示的実施形態に係る、機器移動性、及び新鮮度基準への適合の両方に基づき、新たな測定を実行するべきかどうかを決定するための方法例のフローチャートを示す。
【発明を実施するための形態】
【００１４】
以下に、添付の図面に示された代表的な実施形態について詳細に参照する。以下の説明は、１つの好ましい実施形態に実施形態を限定することを意図するものではないことを理解されたい。それとは対照的に、添付の特許請求の範囲により定義されるような、説明される実施形態の趣旨及び範囲内に含まれ得る変形形態、修正形態及び均等物を網羅することが意図される。
【００１５】
多くの測定レポート方式は、ハンドオーバ決定は、測定ギャップの間に捕捉することができる測定に基づき無線通信機器によって報告を返されることができる測定パラメータに基づき、サービング基地局によって決定されることができるという意味において、ネットワーク中心型である。例えば、ロングタームエボリューション（ＬＴＥ：Long Term Evolution）ネットワークでは、Ａ１／Ａ２／Ａ３／Ａ４及びＢ１／Ｂ２測定レポートをサービング発展型ｎｏｄｅ  Ｂ（ｅＮＢ：evolved node B）へ報告し、ｅＮＢがハンドオーバ決定を行うことを可能にすることができる。
【００１６】
一例として、ＲＡＴ間（ｉＲＡＴ：inter−RAT）測定の場合には、無線通信機器は、サービング基地局によって指示されることができる測定パターンに従い測定されている代替のＲＡＴのための適切なスタックを用いる必要がある場合がある。この点に関して、測定ギャップの間に、無線通信機器は、代替のＲＡＴに関連付けられたスタックへ移行し、代替のＲＡＴのセルのパラメータを測定することができる。その後、無線通信機器は測定に基づき測定レポートを生成し、測定レポートをサービング基地局へ送信することができる。
【００１７】
例えば、無線通信機器が第４世代（４Ｇ）ネットワークセル上にあり、測定ギャップの間に第３世代（３Ｇ）ネットワークセルを測定する場合には、このとき、無線通信機器は以下のステップを実行することができる：
（０）無線通信機器が規定の参照信号受信電力（ＲＳＲＰ：reference signal received power）範囲内にある場合にはｅＮＢによって指示されるとおりにステップ１〜４を繰り返す。
（１）４Ｇ無線周波数（ＲＦ：radio frequency）スタックを停止する（例えば、非アクティブ化する）、
（２）３Ｇ  ＲＦスタックをアクティブ化し、３Ｇネットワークセルの測定を実行し、測定値を保持する
（３）３Ｇ  ＲＦスタックを停止する（例えば、非アクティブ化する）
（４）４Ｇ  ＲＦスタックを再アクティブ化する
（５）測定レポートタイマの終了の場合に、保持された測定値を送信する
【００１８】
４Ｇシステムでは、トリガされることになる測定ギャップのための典型的な規定の範囲は、セルの完全なカバレッジ領域を含むことができる、−１２０デシベル（ｄＢ）〜−９０ｄＢである。したがって、この範囲は、無線通信機器の動作の間にほとんど常に測定ギャップがトリガされる結果を生じさせることができる。測定ギャップがトリガされると、測定ギャップは、サービング基地局によって構成されることができるスケジュールに従って、４０〜８０ミリ秒ごとなど、周期的に出現することができる。いくつかの種類の測定レポートの周期は他のものよりも高い場合がある。この点に関して、いくつかの種類の測定は他の種類のものよりも頻繁に実行することができ、及び／又はいくつかの種類の測定レポートは他の種類のものよりも頻繁に送信することができる。
【００１９】
測定の実行は電力消費の点でコストが高くなり得、無線通信機器による電池消費の増大を招く。しかし、測定は、前の測定から知られた情報以上の測定レポートを形成するための新たな情報を何ももたらさないことがしばしばある。例えば、無線通信機器が前の測定以降、静止したままであったか、又は比較的短い距離しか移動しなかった場合には、新たな測定と前の測定との間に有意な差は全くなくてもよい。
【００２０】
したがって、いくつかの例示的実施形態は、測定頻度の低減を通じた無線通信機器による電力消費の低減を提供する。より具体的には、いくつかの例示的実施形態は、無線通信機器の移動性状態に少なくとも一部基づき測定ギャップの間に測定を実行するべきかどうかを選択的に決定するように構成される無線通信機器を提供する。この点に関して、いくつかの例示的実施形態の無線通信機器は機器の移動性状態を移動性閾値基準と比較することができる。機器が静止状態であるか、又は移動性の比較的高い状態でない場合など、移動性状態が移動性閾値基準を満たす場合には、新たな測定は有意な新たな情報を何ももたらさないと考えられるため、機器は、新たな測定を実行することなく、前の測定レポートをサービングネットワークへ再送信することができる。しかし、機器が移動している場合など、移動性状態が移動性閾値基準を満たさない場合には、新たな測定は新たな情報をもたらし得るため、いくつかの例示的実施形態の無線通信機器は測定ギャップの間に新たな測定を実行することができ、新たな測定に基づき生成された新たな測定レポートをサービングネットワークへ送信することができる。したがって、このような実施形態に係る無線通信機器は、機器の移動性状態に基づき、新たな測定は、前の測定から知られた情報以上の新たな情報をもたらさない可能性があると考えられる場合には、測定を実行することを回避することができるため、このような例示的実施形態は、測定の頻度を低減することによって電力を節減することができる。
【００２１】
これら及び他の実施形態について、図１〜図７を参照して以下で説明する。しかしながら、これらの図に関して本明細書に記載される「発明を実施するための形態」は、説明を目的とするものに過ぎず、限定するものとして解釈するべきではないことが、当業者には容易に理解されるであろう。
【００２２】
図１は、いくつかの例示的実施形態に係る無線通信システム１００を示す。無線通信システム１００は無線通信機器１０２を含むことができる。非限定例として、無線通信機器は、スマートフォン機器などのセルラー電話、タブレットコンピューティング機器、ラップトップコンピューティング機器、及び／又は１つ以上のセルラーネットワークを通じて通信するように構成することができるその他のコンピューティング機器として具体化することができる。無線通信機器１０２はサービングネットワークのサービングセル１０４に接続されていることができる。この点に関して、無線通信機器１０２は、サービングネットワーク上において、無線リソース制御（ＲＲＣ：radio resource control）接続モードなどの、接続モードになっていることができる。
【００２３】
サービングセル１０４は、サービングネットワークによって実装されることができる任意のＲＡＴを実装することができる。いくつかの例示的実施形態では、サービングセル１０４は、ＬＴＥ  ＲＡＴ（例えば、ＬＴＥ、ＬＴＥ−アドバンスト（ＬＴＥ−Ａ：LTE−Advanced）、又はその他のＬＴＥ技術）などの４Ｇ  ＲＡＴを実装することができる。更なる例として、いくつかの例示的実施形態では、サービングセル１０４は、広帯域符号分割多元接続（ＷＣＤＭＡ：Wideband Code Division Multiple Access）、又は時分割同期コード分割多重アクセス（ＴＤ−ＳＣＤＭＡ：Time Division Synchronous Code Division Multiple Access）などのその他のユニバーサル移動体通信システム（ＵＭＴＳ：Universal Mobile Telecommunications System）ＲＡＴなどの、３Ｇ  ＲＡＴを実装することができる。サービングセル１０４によって実装されることができる３Ｇ  ＲＡＴの更なる例として、いくつかの例示的実施形態では、サービングセル１０４は、１ｘＲＴＴなどのＣＤＭＡ２０００  ＲＡＴ、又は第３世代パートナーシッププロジェクト２（３ＧＰＰ２：Third Generation Partnership Project 2）によって標準化されているその他のＲＡＴを実装することができる。別の例として、いくつかの例示的実施形態では、サービングセル１０４は、移動通信用のグローバルシステム（ＧＳＭ：Global System for Mobile Communications）ＲＡＴなどの、第２世代（２Ｇ）ＲＡＴを実装することができる。しかし、上述の例示的なＲＡＴは例として提供されたものであって、限定として提供されていないことは理解されるであろう。この点に関して、サービングセル１０４は、例えば、種々の第５世代（５Ｇ）以上のＲＡＴを含む、任意の現在開発されている、又は将来開発されるセルラーＲＡＴを実装することができることは理解されるであろう。
【００２４】
無線通信機器１０２は、サービングセル１０４によって、無線通信機器１０２が、無線通信機器１０２の信号伝達範囲内にあることができる他のセル（例えば、隣接セル）を測定することができる測定ギャップを有するように構成されることができる。例えば、サービングセル１０４に関連付けられた基地局（例えば、無線通信機器１０２のためのサービング基地局）が無線通信機器１０２に測定ギャップ構成を提供することができる。構成された測定ギャップは、例えば、サービングネットワークによってプロビジョニングされ、及び／又はそれとネゴシエートされることができる。測定ギャップは、無線通信機器１０２が様々なセル間測定の任意のものを実行することを可能にするように構成することができる。例えば、測定ギャップは、無線通信機器１０２がサービングネットワーク上の隣接セルの測定（例えば、周波数間測定）を実行することを可能にするように構成することができる。加えて、又は代替的に、測定ギャップは、無線通信機器１０２がｉＲＡＴ測定を実行することを可能にするように構成することができる。ｉＲＡＴ測定では、無線通信機器１０２は、サービングセル１０４及びサービングネットワークによって用いられているＲＡＴ以外のＲＡＴを用いるネットワーク上のセルの測定を実行することができる。
【００２５】
無線通信機器１０２は測定ギャップの間に別のセルの測定を実行し、測定に基づき測定レポートを生成し、測定レポートをサービングセル１０４へ送信することができる。測定レポートはサービングセル１０４によって、別のセルへの無線通信機器１０２のハンドオーバを実行するべきかどうかを決定するための根拠として用いられることができる。非限定例として、測定ギャップの間に実行された測定を指示する測定レポートに応答して、隣接セルへの周波数間ハンドオーバ、ｉＲＡＴハンドオーバ、及び／又はその他の種類のハンドオーバを実行することができる。
【００２６】
したがって、無線通信機器１０２は、無線通信機器１０２によって１つ以上の例示的実施形態の方法論に従って選択的に測定されることができる、代替セル１０６を含む、１つ以上の更なるセル（例えば、サービングセル１０４の隣接セル）のカバレッジ範囲内にあることができる。代替セル１０６は様々なセルラーＲＡＴのうちの任意のものを実装することができる。例えば、いくつかの例示的実施形態では、代替セル１０６は、ＬＴＥ  ＲＡＴ（例えば、ＬＴＥ、ＬＴＥ−Ａ、又はその他のＬＴＥ技術）などの、４Ｇ  ＲＡＴを実装することができる。更なる例として、いくつかの例示的実施形態では、代替セル１０６は、ＷＣＤＭＡ、又はＴＤ−ＳＣＤＭＡなどのその他のＵＭＴＳ  ＲＡＴなどの、３Ｇ  ＲＡＴを実装することができる。代替セル１０６によって実装されることができる３Ｇ  ＲＡＴの更なる例として、いくつかの例示的実施形態では、代替セル１０６は、１ｘＲＴＴなどのＣＤＭＡ２０００  ＲＡＴ、又は３ＧＰＰ２によって標準化されているその他のＲＡＴを実装することができる。別の例として、いくつかの例示的実施形態では、代替セル１０６は、ＧＳＭ  ＲＡＴなどの、２Ｇ  ＲＡＴを実装することができる。しかし、上述の例示的なＲＡＴは例として提供されたものであって、限定として提供されていないことは理解されるであろう。この点に関して、代替セル１０６は、例えば、種々の５Ｇ以上のＲＡＴを含む、任意の現在開発されている、又は将来開発されるセルラーＲＡＴを実装することができることは理解されるであろう。
【００２７】
いくつかの例示的実施形態では、代替セル１０６は、サービングネットワークによって用いられているのと同じＲＡＴ（例えば、サービングセル１０４によって用いられるのと同じＲＡＴ）を用いることができる。この点に関して、いくつかの例示的実施形態では、代替セル１０６はサービングネットワーク上のサービングセル１０４の隣接セルであることができ、無線通信機器１０２は、代替セル１０６の、周波数間測定などの、隣接セル測定を実行することができる。代替的に、いくつかの例示的実施形態では、代替セル１０６は、サービングネットワークによって用いられているもの以外のＲＡＴを用いるネットワーク上のセルであることができ、無線通信機器１０２は代替セル１０６のｉＲＡＴ測定を実行することができる。
【００２８】
図２は、いくつかの例示的実施形態に係る無線通信機器１０２に実装可能な装置２００のブロック図を示す。この点に関し、装置２００は、無線通信機器１０２などのコンピューティング装置で実装されると、そのコンピューティング装置が、１つ以上の例示的実施形態に係るシステム１００内で動作できるようになる。以下で図２に例示され、同図に関して記載される構成要素、機器又は要素は、必須ではなく、したがって、一部は、特定の実施形態において省略できることが理解されよう。更に、いくつかの実施形態は、図２に例示され、同図に関して記載されるものに加えて、又はそれらとは別の、構成要素、機器又は要素を含み得る。
【００２９】
いくつかの例示的実施形態において、装置２００は、本明細書に開示された１つ以上の例示的実施形態に係るアクションを実行するように構成可能な処理回路２１０を含み得る。そのため、処理回路２１０は、各種実施形態例に係る装置２００の１つ以上の機能を実行し、かつ／又はその機能の実行を制御するように構成することができるため、各種実施形態例に係る無線通信機器１０２の機能を実行する手段を提供し得る。処理回路２１０は、１つ以上の例示的実施形態に係るデータ処理、アプリケーションの実行、並びに／又は他の処理及び管理サービスを実行するように構成することができる。
【００３０】
いくつかの実施形態において、装置２００、又は処理回路２１０など装置２００の部分（単数又は複数）若しくは構成要素（単数又は複数）は、１つ以上のチップをそれぞれ含み得る１つ以上のチップセットを含み得る。そのため、装置２００の処理回路２１０及び／又は１つ以上の更なる構成要素は、場合によっては、１つ以上のチップを含むチップセット上で一実施形態を実装するように構成することができる。装置２００の１つ以上の構成要素がチップセットとして具体化されているいくつかの例示的実施形態において、そのチップセットは、コンピューティング装置に実装又は他の方法で動作可能に連結されると、システム１００でそのコンピューティング装置が動作できるようにすることができる。それゆえ、例えば、装置２００の１つ以上の構成要素は、コンピューティング装置が、サービングセル１０４及び／若しくは代替セル１０６などの、セル上における接続を確立すること、並びに／又は代替セル１０６などの、セルを測定することを可能にするように構成されるセルラーベースバンドチップセットを提供することができる。
【００３１】
いくつかの例示的実施形態において、処理回路２１０は、プロセッサ２１２を含み得、図２に示すようないくつかの実施形態において、更に、メモリ２１４を含み得る。処理回路２１０は、送受信機（単数又は複数）２１６及び／又は測定レポートモジュール２１８と通信可能であるか、又は別の方法でそれらを制御することができる。
【００３２】
プロセッサ２１２は、様々な形で具体化できる。例えば、プロセッサ２１２は、マイクロプロセッサ、コプロセッサ、コントローラ、又は、例えば、ＡＳＩＣ（特定用途向け集積回路）、ＦＰＧＡ（フィールドプログラマブルゲートアレイ）、それらのいくつかの組み合わせなどの集積回路を含む他の各種コンピューティング装置若しくは処理機器など、各種ハードウェアベースの処理手段として具体化することができる。単一のプロセッサとして示されているが、プロセッサ２１２は複数のプロセッサを含むことができることは理解されるであろう。複数のプロセッサは互いに動作通信が可能であり、本明細書に記載される無線通信機器１０２の１つ以上の機能を実行するように集合的に構成できる。いくつかの例示的実施形態において、プロセッサ２１２は、メモリ２１４に記憶され得る命令又は別の方法でプロセッサ２１２がアクセスできる命令を実行するように構成できる。そのため、プロセッサ２１２は、ハードウェア又はハードウェアとソフトウェアとの組み合わせのどちらによって構成されていても、それに応じて構成されつつ、各種実施形態に係る処理を実行することができる。
【００３３】
いくつかの実施形態例において、メモリ２１４は、１つ以上のメモリデバイスを含み得る。メモリ２１４は、固定型及び／又は着脱式メモリデバイスを含み得る。いくつかの実施形態において、メモリ２１４は、プロセッサ２１２によって実行され得るコンピュータプログラム命令を記憶できる永続的コンピュータ可読記憶媒体を提供できる。この点に関し、メモリ２１４は、装置２００が１つ以上の例示的実施形態に係る様々な機能を実行することを可能にするための情報、データ、アプリケーション、命令及び／又は同様のものを記憶するように構成できる。いくつかの実施形態において、メモリ２１４は、装置２００の構成要素間で情報を渡すためのバス（又はバス群）を介して、プロセッサ２１２、送受信機（単数又は複数）２１６、又は測定レポートモジュール２１８のうちの１つ以上と通信することができる。
【００３４】
装置２００は送受信機（単数又は複数）２１６を更に含み得る。送受信機（単数又は複数）２１６は、装置２００が１つ以上のＲＡＴに従い無線信号を送信すること及び信号を受信することを可能にすることができる。そのため、送受信機（単数又は複数）２１６は、装置２００が、サービングセル１０４に接続すること、及び代替セル１０６の測定を実行することを可能にすることができる。そのため、送受信機（単数又は複数）２１６は、サービングセル１０４によって、及び／又は代替セル１０６によって実装可能な任意の種類のＲＡＴをサポートするように構成することができる。
【００３５】
装置２００は測定レポートモジュール２１８を更に含むことができる。管理モジュール２１８は、回路、ハードウェア、処理デバイス（例えばプロセッサ２１２）によって実行可能なコンピュータ可読プログラム命令を記憶しているコンピュータ可読媒体（例えばメモリ２１４）を備えるコンピュータプログラム製品、又はそれらの何らかの組み合わせなど、種々の手段として具体化することができる。いくつかの実施形態において、プロセッサ２１２（又は処理回路２１０）は、測定レポートモジュール２１８を含み得るか、又は他の方法でこれを制御し得る。
【００３６】
測定レポートモジュール２１８は、本明細書において以下に図３〜図７に関して更に説明されているように、種々の例示的実施形態に係る測定ギャップの間の代替セル１０６の測定を実行するべきかどうかを選択的に決定するように構成することができる。測定レポートモジュール２１８は、代替セル１０６の測定に基づき測定レポートを生成し、このような測定レポートをサービングネットワークへ送信するように更に構成することができる。
【００３７】
図３は、いくつかの例示的実施形態に係る測定頻度の低減を通じて電力消費を低減するための方法例のフローチャートを示す。この点に関して、図３は、種々の例示的実施形態に係る無線通信機器１０２によって実行されることができる動作を示す。処理回路２１０、プロセッサ２１２、メモリ２１４、送受信機（単数又は複数）２１６、又は測定レポートモジュール２１８のうちの１つ以上が、例えば、図３に例示され、かつ同図に関して説明されている動作を実行する手段を提供することができる。
【００３８】
図３の方法を実行する際に、無線通信機器１０２はサービングセル１０４（例えば、無線通信機器１０２のためのサービングネットワークのサービングセル）に接続されていることができる。この点に関して、無線通信機器１０２は、サービングネットワーク上において、無線リソース制御（ＲＲＣ）接続モードなどの、接続モードになっていることができる。
【００３９】
動作３００は、無線通信機器１０２が第１の測定ギャップの間に代替セル１０６の第１の測定を実行することを含むことができる。実行される測定は、セルのために測定することができる信号品質の任意の測定であることができ、例えば、代替セル１０６によって用いられることができるＲＡＴの種類に基づき変化し得る。非限定例として、動作３００において実行することができる測定は、受信信号強度インジケータ（ＲＳＳＩ：received signal strength indicator）、参照信号受信電力（ＲＳＲＰ：reference signal received power）、参照信号受信品質（ＲＳＲＱ：reference signal received quality）、受信信号コード電力（ＲＳＣＰ：received signal code power）、Ｅｃ／Ｉｏ、及び／又は同様のものの測定を含むことができる。
【００４０】
動作３１０は、無線通信機器１０２が、動作３００において実行された測定に少なくとも一部基づき生成された第１の測定レポートをサービングセル１０４へ送信することを含むことができる。いくつかの例示的実施形態では、無線通信機器１０２は、後続の測定ギャップにおける代替セル１０６の更なる測定を行わずに第１の測定レポートを再送信することを可能にするために、第１の測定レポート、及び／又は第１の測定レポートが基にする測定（例えば、動作３００において実行された測定）を維持することができる。例えば、いくつかの実施形態では、無線通信機器１０２は、メモリ２１４内などに、第１の測定レポートのコピーを記憶することができる。無線通信機器１０２は、無線通信機器１０２が後続の測定ギャップのために、代替セル１０６の第２の測定を行わずに、第１の測定レポートを再送信することを選んだ場合に、第１の測定レポートの再生成を可能にするために、動作３００の測定から得られた測定パラメータ（単数又は複数）の指示を追加的又は代替的に保存することができる。
【００４１】
動作３２０は、無線通信機器１０２が無線通信機器１０２の移動性状態を判定することを含むことができる。移動性状態は、無線通信機器１０２は運動状態（例えば、移動性状態）にあり、及び／又は動作３００の測定が行われて以降、いくらかの距離移動したのかどうかを指示することができる任意の測定に少なくとも一部基づき、判定することができる。
【００４２】
いくつかの例示的実施形態では、動作３２０は、動作３００の測定以降の無線通信機器の位置の変化を判定することを含むことができる。いくつかのこのような例示的実施形態に係る動作３００の測定以降の無線通信機器１０２の位置の絶対変化及び／又はおおよその変化を判定するために、例えば、測位センサ（例えば、全地球測位サービス及び／若しくはその他の衛星ナビゲーションサービスセンサ）、加速度計、並びに／又はいくつかの例示的実施形態の無線通信機器１０２上に実装することができるその他のセンサを用いることができる。
【００４３】
加えて、又は代替的に、いくつかの例示的実施形態では、動作３２０は、無線通信機器１０２の速度を判定することを含むことができる。判定される速度は、瞬間速度、平均速度、及び／又は所与の時点における、及び／又はある期間にわたる無線通信機器１０２の速度のその他の測定であることができる。このような例示的実施形態における無線通信機器１０２の運動の速度を判定するために、例えば、測位センサ、加速度計、及び／又は無線通信機器１０２上に実装することができるその他のセンサを用いることができる。
【００４４】
更に別の例として、いくつかの例示的実施形態では、動作３２０は、ある期間にわたるサービングセル１０４の測定された信号品質（例えば、ＲＳＲＰ、ＲＳＲＱ、ＲＳＳＩ、ＲＳＣＰ、Ｅｃ／Ｉｏ、及び／又は同様のもの）の変化に少なくとも一部基づき無線通信機器１０２の移動性状態を判定することを追加的又は代替的に含むことができる。この点に関して、サービングセルの信号品質の変化の大きさ−信号品質の増大又は信号品質の減少のいずれか−は動作３００の測定以降における無線通信機器１０２の移動性の程度を指示することができる。
【００４５】
動作３３０は、無線通信機器１０２が、動作３２０において判定された移動性状態を移動性閾値基準と比較し、移動性状態は移動性閾値基準を満たすかどうかを判定することを含むことができる。この点に関して、移動性閾値基準は、移動性状態が移動性閾値基準を満たす場合には、無線通信機器の移動性は移動性閾値を超えないというような移動性閾値に対応することができる。
【００４６】
例えば、判定される移動性状態が無線通信機器１０２の位置の絶対変化である場合には、動作３３０は、位置の変化は位置の最大閾値変化を実際に超えるのかどうかを判定することを含むことができる。位置の変化が位置の最大閾値変化を超えない場合には、移動性状態は、移動性閾値基準を満たすと見なすことができる。
【００４７】
別の例として、判定される移動性状態が無線通信機器１０２の速度である場合には、動作３３０は、速度は最大閾値速度を超えるのかどうかを判定することを含むことができる。速度が最大閾値速度を超えない場合には、移動性状態は、移動性閾値基準を満たすと見なすことができる。
【００４８】
なお更なる例として、判定される移動性状態がサービングセル１０４の測定された信号品質の変化に基づく場合には、動作３３０は、測定された信号品質は信号品質の閾値変化（例えば、信号品質の最大閾値偏差）を超えるのかどうかを判定することができる。測定された信号品質の変化が信号品質の閾値変化を超えない場合には、このとき、移動性状態は移動性閾値基準を満たすと見なすことができる。増大した信号品質及び減少した信号品質はどちらも移動性を指示することができるため、信号品質の閾値変化を、測定された信号品質の変化の絶対値と比較することができ、それにより、測定された信号品質の変化の大きさを信号品質の閾値変化と比較することができる。この点に関して、信号品質の変化の大きさが信号品質の閾値変化を超えない場合には、このとき、移動性状態は、移動性閾値基準を満たすと見なすことができる。
【００４９】
移動性閾値基準は、第２の測定の実行はいくらかでも追加の情報（例えば、代替セル１０６の測定されたパラメータの変化）をもたらす可能性があるかどうかに少なくとも一部基づき、定義することができる。この点に関して、無線通信機器１０２の移動性状態が、第２の測定は、サービングネットワークにとってハンドオーバ決定を行うに当たって有意となり得るレベルの測定されたパラメータの偏差を反映する可能性があるというようなものでない場合には、このとき、次の測定ギャップの間における別の測定の実行を回避することができ、無線通信機器１０２は、前に送信された測定レポートをサービングネットワークへ再送信することができる。結果として生じる測定の数の低減はそれに応じて電力消費を低減することができ、それに応じて電池寿命を延ばすことができる。
【００５０】
動作３３０において、移動性状態は移動性閾値基準を実際に満たすと判定された場合には、本方法は動作３４０へ進むことができる。動作３４０は、無線通信機器１０２が第１の測定レポートを第２の測定ギャップのためのレポートとしてサービングセル１０４へ再送信することを含むことができる。この点に関して、無線通信機器１０２が第１の測定レポートのコピーを維持していた場合には、無線通信機器１０２は、記憶されたコピーを再送信することができる。加えて、又は代替的に、無線通信機器１０２は、動作３００の測定から生じた測定パラメータ（単数又は複数）の保存された指示に少なくとも一部基づき第１の測定を再生成することができる。
【００５１】
そのため、動作３００の測定以降における無線通信機器１０２の移動性状態が移動性閾値基準を満たす場合には、第２の測定ギャップのために、及びことによると、更なる測定ギャップのためにさえも第２の測定を実行しないことによって、電力を節減することができる。具体的には、代替セル１０６の測定を可能にするために実行されてもよい動作を実行することを回避することによって、電力を節減することができる。例えば、代替セル１０６が、サービングセル１０４と異なるＲＡＴを用いるｉＲＡＴ測定の場合には、サービングセル１０４によって用いられているＲＡＴに関連付けられた第１のスタックから、代替セルによって用いられているＲＡＴに関連付けられた第２のスタックへ移行し、測定の実行後に元の第１のスタックへ再び移行することを回避することができる。別の例として、代替セル１０６が、サービングセル１０４と異なる周波数を用いる隣接者である周波数間測定の場合には、送受信機（単数又は複数）２１６を、サービングセル１０４によって用いられている第１の周波数から、代替セル１０６によって用いられている第２の周波数に同調し、測定の実行後に元の第１の周波数に再び同調することを回避することができる。しかし、動作３４０では、第２の測定ギャップのために測定レポート（例えば、再送信される第１の測定レポート）をなおも送信することができるため、無線通信機器１０２は測定ギャップ構成に従って測定レポートをなおも送信することができ、無線通信機器１０２の振る舞いはネットワークの視点からは変化がないように見えることができる。
【００５２】
しかし、動作３３０において、移動性状態は移動性閾値基準を満たさないと判定された場合には、本方法は動作３４０の代わりに動作３５０へ進むことができる。動作３５０は、無線通信機器１０２が第２の測定ギャップの間に代替セル１０６の第２の測定を実行し、第２の測定に少なくとも一部基づき生成された第２の測定レポートをサービングセル１０４へ送信することを含むことができる。それゆえ、例えば、移動性状態が、新たな測定は、サービングネットワークにとってハンドオーバ決定に当たって価値のあるものとなり得る追加の情報をもたらし得ることを指示する場合には、無線通信機器１０２は次の測定ギャップのために新たな測定を実行し、新たな測定レポートを送信することができる。
【００５３】
図４は、いくつかの例示的実施形態に係る測定頻度の低減を通じて電力消費を低減するための別の方法例のフローチャートを示す。この点に関して、図４は、種々の例示的実施形態に係る無線通信機器１０２によって実行されることができる動作を示す。処理回路２１０、プロセッサ２１２、メモリ２１４、送受信機（単数又は複数）２１６、又は測定レポートモジュール２１８のうちの１つ以上が、例えば、図４に例示され、かつ同図に関して説明されている動作を実行する手段を提供することができる。
【００５４】
動作４００は、無線通信機器１０２がサービングネットワークのサービングセル１０４へ接続することを含むことができる。この点に関して、無線通信機器１０２は、サービングネットワーク上において、ＲＲＣ接続モードなどの、接続モードになっていることができる。
【００５５】
動作４１０は、無線通信機器１０２が第１の測定ギャップの間に代替セル１０６の第１の測定を実行することを含むことができる。実行される測定は、セルのために測定することができる信号品質の任意の測定であることができ、例えば、代替セル１０６によって用いられることができるＲＡＴの種類に基づき変化し得る。非限定例として、動作４１０において実行することができる測定は、ＲＳＳＩ、ＲＳＲＰ、ＲＳＲＱ、ＲＳＣＰ、Ｅｃ／Ｉｏ、及び／又は同様のものの測定を含むことができる。この点に関し、動作４１０は、例えば、動作３００の一実施形態に対応し得る。
【００５６】
動作４２０は、無線通信機器１０２が、動作４１０において実行された測定に少なくとも一部基づき生成された第１の測定レポートをサービングセル１０４へ送信することを含むことができる。この点に関し、動作４２０は、例えば、動作３１０の一実施形態に対応し得る。
【００５７】
いくつかの例示的実施形態では、無線通信機器１０２は、後続の測定ギャップにおける代替セル１０６の更なる測定を行わずに第１の測定レポートを再送信することを可能にするために、第１の測定レポートを維持することができる。図４に示されている方法例では、本方法は、それに応じて、無線通信機器１０２が、メモリ２１４内などに、第１の測定レポートを記憶することを含むことができる、動作４３０を含むことができる。しかし、無線通信機器１０２は、無線通信機器１０２が後続の測定ギャップのために、代替セル１０６の第２の測定を行わずに、第１の測定レポートを再送信することを選んだ場合に、第１の測定レポートの再生成を可能にするために、動作４１０の測定から得られた測定パラメータの指示を追加的又は代替的に保存することができることは理解されるであろう。
【００５８】
動作４４０は、無線通信機器１０２が無線通信機器１０２の移動性状態を判定することを含むことができる。移動性状態は、無線通信機器１０２は運動状態（例えば、移動性状態）にあり、及び／又は動作４１０の測定が行われて以降、いくらかの距離移動したのかどうかを指示することができる任意の測定に少なくとも一部基づき、判定することができる。この点に関し、動作４４０は、例えば、動作３２０の一実施形態に対応し得る。
【００５９】
例えば、いくつかの例示的実施形態では、動作４４０は、動作４１０の測定以降における無線通信機器１０２の位置の絶対変化を判定するために、測位センサ（例えば、全地球測位サービスセンサ）、加速度計、及び／又は無線通信機器１０２上に実装することができるその他のセンサを用いることを含むことができる。加えて、又は代替的に、いくつかの例示的実施形態では、動作４４０は、ある時点における、及び／又はある期間にわたる無線通信機器１０２の運動の速度（例えば、瞬間速度及び／又は平均速度）を判定するために、測位センサ、加速度計、及び／又は無線通信機器１０２上に実装することができるその他のセンサを用いることを含むことができる。更に別の例として、いくつかの例示的実施形態では、動作４４０は、無線通信機器１０２が、ある期間にわたるサービングセル１０４の測定された信号品質（例えば、ＲＳＲＰ、ＲＳＲＱ、ＲＳＳＩ、ＲＳＣＰ、Ｅｃ／Ｉｏ、及び／又は同様のもの）の変化に少なくとも一部基づき無線通信機器１０２の移動性状態を判定することができることを追加的又は代替的に含むことができる。
【００６０】
動作４５０は、無線通信機器１０２が、判定された移動性状態を移動性閾値基準と比較し、移動性状態は移動性閾値基準を満たすかどうかを判定することを含むことができる。例えば、判定される移動性状態が無線通信機器１０２の位置の絶対変化である場合には、動作４５０は、位置の変化は位置の最大閾値変化を実際に超えるのかどうかを判定することを含むことができる。位置の変化が位置の最大閾値変化を超えない場合には、移動性状態は、移動性閾値基準を満たすと見なすことができる。別の例として、判定される移動性状態が無線通信機器１０２の速度である場合には、動作４５０は、速度は最大閾値速度を超えるのかどうかを判定することを含むことができる。速度が最大閾値速度を超えない場合には、移動性状態は、移動性閾値基準を満たすと見なすことができる。なお更なる例として、判定される移動性状態がサービングセル１０４の測定された信号品質の変化に基づく場合には、動作４５０は、測定された信号品質は信号品質の閾値変化を超えるのかどうかを判定することができる。測定された信号品質の変化が信号品質の閾値変化を超えない場合には、このとき、移動性状態は移動性閾値基準を満たすと見なすことができる。そのため、動作４５０は、動作３３０の一実施形態に対応し得る。
【００６１】
動作４５０において、移動性状態は移動性閾値基準を実際に満たすと判定された場合には、本方法は動作４６０へ進むことができる。動作４６０は、無線通信機器が第１の測定レポートを第２の測定ギャップのためのレポートとしてサービングセル１０４へ再送信することを含むことができる。そのため、動作４１０の測定以降の無線通信機器１０２の移動性状態が移動性閾値基準を満たす場合には、第２の測定ギャップのために、及びことによると、更なる測定ギャップのためにさえも第２の測定を実行しないことによって、電力を節減することができる。動作４６０は、例えば、動作３４０の実施形態に対応することができる。
【００６２】
移動性閾値基準は、第２の測定の実行はいくらかでも追加の情報（例えば、代替セル１０６の測定されたパラメータの変化）をもたらす可能性があるかどうかに少なくとも一部基づき、定義することができる。この点に関して、無線通信機器１０２の移動性状態が、第２の測定は、サービングネットワークにとってハンドオーバ決定を行うに当たって有意となり得るレベルの測定されたパラメータの偏差を反映する可能性があるというようなものでない場合には、このとき、次の測定ギャップの間における別の測定の実行を回避することができ、無線通信機器１０２は、前に送信された測定レポートをサービングネットワークへ再送信することができる。結果として生じる測定の数の低減はそれに応じて電力消費を低減することができ、それに応じて電池寿命を延ばすことができる。
【００６３】
しかし、動作４５０において、移動性状態は移動性閾値基準を満たさないと判定された場合には、本方法は動作４６０の代わりに動作４７０へ進むことができる。動作４７０は、無線通信機器１０２が第２の測定ギャップの間に代替セル１０６の第２の測定を実行し、第２の測定に少なくとも一部基づき生成された第２の測定レポートをサービングセル１０４へ送信することを含むことができる。それゆえ、例えば、移動性状態が、新たな測定は、サービングネットワークにとってハンドオーバ決定に当たって価値のあるものとなり得る追加の情報をもたらし得ることを指示する場合には、無線通信機器１０２は次の測定ギャップのために新たな測定を実行し、新たな測定レポートを送信することができる。動作４７０は、例えば、動作３５０の実施形態に対応することができる。
【００６４】
図５は、いくつかの例示的実施形態に係るｉＲＡＴ測定頻度の低減を通じて電力消費を低減するための方法例のフローチャートを示す。この点に関して、図５は、代替セル１０６が、サービングセル１０４と異なるＲＡＴを用いる、図３の方法及び／又は図４の方法のいくつかの実施形態のうちの例示的実施形態を示す。処理回路２１０、プロセッサ２１２、メモリ２１４、送受信機（単数又は複数）２１６、又は測定レポートモジュール２１８のうちの１つ以上が、例えば、図５に例示され、かつ同図に関して説明されている動作を実行する手段を提供することができる。図５の方法を実行する際に、無線通信機器１０２は、第１のＲＡＴを用いるサービングセルに接続されていることができる。
【００６５】
動作５００は、無線通信機器１０２が第１の測定ギャップの間に、第２のＲＡＴを用いる代替セルの第１のｉＲＡＴ測定を実行することを含むことができる。動作５００は、例えば、動作３００及び／又は動作４１０の実施形態に対応することができる。測定を実行するために、無線通信機器１０２は、第１のＲＡＴに関連付けられたスタックを非アクティブ化し（例えば、停止し）、第２のＲＡＴに関連付けられたスタックをアクティブ化することができる。測定は、第２のＲＡＴに関連付けられたスタックがアクティブ化されている間に実行することができる。測定を実行し、測定値（単数又は複数）を保持した後に、無線通信機器１０２は、第２のＲＡＴに関連付けられたスタックを非アクティブ化し（例えば、停止し）、第１のＲＡＴに関連付けられたスタックを再アクティブ化することができる。
【００６６】
動作５１０は、無線通信機器１０２が、第１のｉＲＡＴ測定に少なくとも一部基づき生成された第１のｉＲＡＴ測定レポートをサービングセルへ送信することを含むことができる。この点に関して、動作５１０は、例えば、動作３１０の、及び／又は動作４２０の実施形態に対応することができる。
【００６７】
動作５２０は、無線通信機器１０２が無線通信機器１０２の移動性状態を判定することを含むことができる。一例として、動作５２０は、動作３２０及び／又は動作４４０の実施形態に対応することができ、動作３２０及び４４０に関して上述されている移動性状態インジケータのうちの任意のものを判定することを含むことができる。
【００６８】
動作５３０は、無線通信機器１０２が、判定された移動性状態を移動性閾値基準と比較し、移動性状態は移動性閾値基準を満たすかどうかを判定することを含むことができる。この点に関して、動作５３０は、例えば、動作３３０の、及び／又は動作４５０の実施形態に対応することができる。
【００６９】
動作５３０において、移動性状態は移動性閾値基準を満たすと判定された場合には、本方法は、動作５４０〜５５０を実行することを含むことができる。動作５４０〜５５０はひとまとめにして、例えば、動作３４０及び／又は動作４６０の実施形態に対応することができる。
【００７０】
動作５４０は、無線通信機器１０２が第２の測定ギャップの間に、第２のＲＡＴに関連付けられたスタックを非アクティブ化状態に維持することを含むことができる。この点に関して、第２の測定ギャップの間に新たな測定を実行するために第２のスタックへ移行することを省略することによって、電力を節減することができる。いくつかの例示的実施形態では、第１のＲＡＴに関連付けられたスタックは、更なる省電力化を達成するために、第２の測定ギャップの間に非アクティブ化することができる。動作５５０は、無線通信機器１０２が第１のｉＲＡＴ測定レポートを第２の測定ギャップのための測定レポートとしてサービングセルへ再送信することを含むことができる。
【００７１】
しかし、動作５３０において、移動性状態は移動性閾値基準を満たさないと判定された場合には、本方法は代わりに、動作５６０〜５９０を実行することを含むことができ、動作５４０〜５５０は省略することができる。動作５６０〜５９０はひとまとめにして、例えば、動作３５０及び／又は動作４７０の実施形態に対応することができる。
【００７２】
動作５６０は、無線通信機器１０２が第２の測定ギャップの間に、第１のＲＡＴに関連付けられたスタックから、第２のＲＡＴに関連付けられたスタックへ移行することを含むことができる。この点に関して、動作５６０は、第１のＲＡＴに関連付けられたスタックを非アクティブ化し（例えば、停止し）、第２のＲＡＴに関連付けられたスタックをアクティブ化することを含むことができる。動作５７０は、無線通信機器１０２が第２のｉＲＡＴ測定ギャップの間に代替セル１０６の第２のｉＲＡＴ測定を実行することを含むことができる。
【００７３】
動作５８０は、無線通信機器１０２が、第２のｉＲＡＴ測定を実行した後に、第１のＲＡＴに関連付けられた元のスタックへ再び移行することを含むことができる。この点に関して、動作５８０は、第２のＲＡＴに関連付けられたスタックを非アクティブ化し（例えば、停止し）、第１のＲＡＴに関連付けられたスタックを再アクティブ化することを含むことができる。動作５９０は、無線通信機器１０２が、第２のｉＲＡＴ測定に少なくとも一部基づき生成された第２のｉＲＡＴ測定レポートを第２の測定ギャップのための測定レポートとしてサービングセルへ送信することを含むことができる。
【００７４】
図６は、いくつかの例示的実施形態に係る周波数間測定頻度の低減を通じて電力消費を低減するための方法例のフローチャートを示す。この点に関して、図６は、代替セル１０６が、サービングセル１０４と異なる周波数を用いる、図３の方法及び／又は図４の方法のいくつかの実施形態のうちの例示的実施形態を示す。処理回路２１０、プロセッサ２１２、メモリ２１４、送受信機（単数又は複数）２１６、又は測定レポートモジュール２１８のうちの１つ以上が、例えば、図６に例示され、かつ同図に関して説明されている動作を実行する手段を提供することができる。図６の方法を実行する際に、無線通信機器１０２は、第１の周波数を用いるサービングセルに接続されていることができる。
【００７５】
動作６００は、無線通信機器１０２が第１の測定ギャップの間に、サービングセルによって用いられている第１の周波数と異なる第２の周波数を用いる代替セルの第１の周波数間測定を実行することを含むことができる。動作６００は、例えば、動作３００及び／又は動作４１０の実施形態に対応することができる。測定を実行するために、無線通信機器１０２は、サービングセルに関連付けられた周波数（例えば、「第１の周波数」）から、代替セルに関連付けられた周波数（例えば、「第２の周波数」）に同調することができる。測定は、第２の周波数に同調されている間に実行することができる。測定を実行し、測定値（単数又は複数）を保持した後に、無線通信機器１０２は元の第１の周波数に再び同調することができる。
【００７６】
動作６１０は、無線通信機器１０２が、第１の周波数間測定に少なくとも一部基づき生成された第１の周波数間測定レポートをサービングセルへ送信することを含むことができる。この点に関して、動作６１０は、例えば、動作３１０及び／又は動作４２０の実施形態に対応することができる。
【００７７】
動作６２０は、無線通信機器１０２が無線通信機器１０２の移動性状態を判定することを含むことができる。一例として、動作６２０は、動作３２０及び／又は動作４４０の実施形態に対応することができ、動作３２０及び４４０に関して上述されている移動性状態インジケータのうちの任意のものを判定することを含むことができる。
【００７８】
動作６３０は、無線通信機器１０２が、判定された移動性状態を移動性閾値基準と比較し、移動性状態は移動性閾値基準を満たすかどうかを判定することを含むことができる。この点に関して、動作６３０は、例えば、動作３３０及び／又は動作４５０の実施形態に対応することができる。
【００７９】
動作６３０において、移動性状態は移動性閾値基準を満たすと判定された場合には、本方法は、動作６４０〜６５０を実行することを含むことができる。動作６４０〜６５０はひとまとめにして、例えば、動作３４０及び／又は動作４６０の実施形態に対応することができる。
【００８０】
動作６４０は、無線通信機器１０２が第２の測定ギャップの間における第２の周波数への同調を省略することを含むことができる。この点に関して、周波数間で移行し、新たな測定を実行することを省略することによって、電力を節減することができる。動作６５０は、無線通信機器１０２が第１の周波数間測定レポートを第２の測定ギャップのための測定レポートとしてサービングセルへ再送信することを含むことができる。
【００８１】
しかし、動作６３０において、移動性状態は移動性閾値基準を満たさないと判定された場合には、本方法は代わりに、動作６６０〜６９０を実行することを含むことができ、動作６４０〜６５０は省略することができる。動作６６０〜６９０はひとまとめにして、例えば、動作３５０及び／又は動作４７０の実施形態に対応することができる。
【００８２】
動作６６０は、無線通信機器１０２が第１の周波数から第２の周波数に同調することを含むことができる。動作６７０は、無線通信機器１０２が、第２のｉＲＡＴ測定ギャップの間に、第２の周波数に同調されている間に代替セル１０６の第２の周波数間測定を実行することを含むことができる。動作６８０は、無線通信機器１０２が、第２の周波数間測定を実行した後に、元の第１の周波数に再び同調することを含むことができる。動作６９０は、無線通信機器１０２が、第２の周波数間測定に少なくとも一部基づき生成された第２の周波数間測定レポートを第２の測定ギャップのための測定レポートとしてサービングセルへ送信することを含むことができる。
【００８３】
いくつかの例示的実施形態では、たとえ、無線通信機器１０２の移動性状態が、多数の構成された測定ギャップにわたって移動性閾値基準を満たし続けている場合であっても、前の測定に新鮮度基準を適用することができる。例えば、いくつかの実施形態では、前に送信された測定レポートを再送信することができる最大数ｎ個の測定ギャップが定義されて存在することができる。それゆえ、例えば、無線通信機器１０２が、ｎ個の連続した測定期間、同じ測定レポートを送信したか、又はさもなければｎ個の測定ギャップを新たな測定を実行することなく済ませた場合には、たとえ、無線通信機器１０２の移動性状態が移動性閾値基準を満たし続けている場合であっても、無線通信機器１０２は新たな測定を実行し、新たな測定レポートをサービングネットワークへ送信することができる。このような例示的実施形態に係る新鮮度基準の適用は、図３〜図６のうちの１つ以上の方法に示され、それらに関して説明されている技法と組み合わせることができる。
【００８４】
いくつかの例示的実施形態では、新たな測定の実行を省略することができる連続した測定ギャップの数を定義するために、無線通信機器１０２の移動性状態の質が無線通信機器１０２によって用いられることができる。この点に関して、いくつかの例示的実施形態では、移動性状態の質に基づき、測定間の伸縮自在の間隔を適用することができる。例えば、無線通信機器１０２が、少なくとも第１の閾値期間（例えば、１分）の間、実質的に静止したままであった場合には、このとき、無線通信機器１０２はｎ個の測定ギャップごとに代替セル１０６の新たな測定を実行することができる。しかし、無線通信機器１０２が、少なくとも、第１の閾値期間よりも大きい第２の閾値期間（例えば、５分）の間、実質的に静止したままであった場合には、無線通信機器１０２は、ｎよりも大きくできるｍ個の測定ギャップごとに代替セル１０６の新たな測定を実行することができる。
【００８５】
別の例として、無線通信機器１０２が移動性状態にある場合には、最小測定頻度を決定し、前に送信された測定レポートを再送信することができる測定ギャップの最大数を定義するために、無線通信機器１０２の移動性の程度を用いることができる。例えば、無線通信機器１０２の速度が閾値速度未満である場合には、いくつかの実施形態の無線通信機器１０２は少なくともｎ個の測定ギャップごとに代替セル１０６の新たな測定を実行することができる。それに対して、速度が閾値速度を超える場合には、このような実施形態の無線通信機器１０２は、ｎよりも小さくできる少なくともｍ個の測定ギャップごとに代替セルの新たな測定を実行することができる。このような実施形態では、移動性の程度が増大するとともにより高頻度の測定を実行することができるように一連の閾値を適用することができることは理解されるであろう。
【００８６】
したがって、いくつかの例示的実施形態の無線通信機器１０２は、測定ギャップの間に新たな測定を実行するべきかどうかを選択的に決定するために、機器の移動性状態に少なくとも一部基づき独自の測定ギャップ起床パターンを適用するように構成することができる。その結果もたらされる測定実行頻度の減少は、それに応じて、新たな測定の実行は不要とすることができると見なすことができる状況における測定の実行の排除を通じて、無線通信機器による電力消費を低減することができる。
【００８７】
図７は、いくつかの例示的実施形態に係る、機器移動性、及び新鮮度基準への適合の両方に基づき、新たな測定を実行するべきかどうかを決定するための方法例のフローチャートを示す。この点に関して、図７は、種々の例示的実施形態に係る無線通信機器１０２によって実行されることができる動作を示す。処理回路２１０、プロセッサ２１２、メモリ２１４、送受信機（単数又は複数）２１６、又は測定レポートモジュール２１８のうちの１つ以上が、例えば、図７に例示され、かつ同図に関して説明されている動作を実行する手段を提供することができる。
【００８８】
図７の方法を実行する際に、無線通信機器１０２はサービングセル１０４に接続されていることができる。動作７００は、無線通信機器１０２が無線通信機器１０２の移動性状態を判定することを含むことができる。この点に関して、動作７００は、例えば、動作３２０、動作４４０、動作５２０、又は動作６２０のうちの１つ以上の実施形態に対応することができる。そのため、移動性状態は、代替セル１０６の以前の測定の実行後の時点について、及び／又は期間について判定することができる。
【００８９】
動作７１０は、無線通信機器１０２が、移動性状態は移動性閾値基準を満たすかどうかを判定することを含むことができる。この点に関して、動作７１０は、例えば、動作３３０、動作４５０、動作５３０、又は動作６３０のうちの１つ以上の実施形態に対応することができる。
【００９０】
動作７１０において、移動性状態は移動性閾値基準を満たさないと判定された場合には、本方法は動作７２０へ進むことができる。動作７２０は、無線通信機器１０２が測定ギャップの間に代替セル１０６の新たな測定を実行し、新たな測定に少なくとも一部基づき生成された新たな測定レポートをサービングセル１０４へ送信することを含むことができる。動作７２０は、例えば、動作３５０、動作４７０、動作５６０〜５９０、又は動作６６０〜６９０のうちの１つ以上の実施形態に対応することができる。
【００９１】
しかし、動作７１０において、移動性状態は移動性閾値基準を実際に満たすと判定された場合には、本方法は代わりに動作７３０へ進むことができる。動作７３０は、以前の測定レポート（例えば、前の測定ギャップのために送信／再送信された測定レポート）は最大閾値数の測定ギャップ（例えば、最大閾値数の連続した測定ギャップ）のために再送信されたのかどうかを判定することを含むことができる。測定ギャップの最大閾値数は、例えば、上述したように、無線通信機器１０２によって、無線通信機器１０２の移動性状態に少なくとも一部基づき定義されることができる。
【００９２】
動作７３０において、以前の測定レポートは最大閾値数の測定ギャップのために再送信されたと判定された場合には、本方法は動作７２０へ進むことができ、それにより、たとえ、無線通信機器１０２の移動性状態が移動性閾値基準を満たしていても、以前の測定以降に条件が変化している場合に備えて新鮮度を確実にするために新たな測定を実行することができる。
【００９３】
しかし、動作７３０において、以前の測定レポートは最大閾値数の測定ギャップのために再送信されていないと判定された場合には、本方法は代わりに動作７４０へ進むことができる。動作７４０は、無線通信機器１０２が以前の測定レポートを測定ギャップのための測定レポートとしてサービングセルへ再送信することを含むことができる。無線通信機器１０２は、以前の測定レポートが再送信された回数のカウントを追加的にインクリメントすることができ、それにより、無線通信機器１０２は、無線通信機器１０２の移動性状態が次の測定ギャップにおいて移動性閾値基準を満たし続ける場合には、次の測定ギャップにおいて、測定レポートは最大閾値数の測定ギャップのために再送信されたのかどうかを評価することができる（動作７３０）。
【００９４】
説明されている実施形態の様々な態様、実施形態、実装形態、又は特徴は、個別に若しくは任意の組み合わせで使用できる。説明されている実施形態の様々な態様は、ソフトウェア、ハードウェア、又はハードウェアとソフトウェアとの組み合わせによって実装することができる。説明されている実施形態はまた、１つ以上のコンピューティング装置によって実行されることができる命令を含むコンピュータ可読コードを記憶するコンピュータ可読媒体（単数又は）として具体化することができる。ンピュータ可読媒体は、後にコンピュータシステムによって読み出すことが可能なデータを記憶することができる、任意のデータ記憶装置に関連付けられてよい。コンピュータ可読媒体の例としては、リードオンリーメモリ、ランダムアクセスメモリ、ＣＤ−ＲＯＭ、ＨＤＤ、ＤＶＤ、磁気テープ、及び光学式データ記憶装置が挙げられる。コンピュータ可読媒体はまた、ネットワーク結合されたコンピュータシステム上に分散させることもでき、それにより、コンピュータ可読コードは分散方式で記憶及び実行されてもよい。
【００９５】
上記詳細な説明では、説明の一部を成すとともに、記載された実施形態に係る具体的な実施形態が例として示された添付の図面を参照した。これらの実施形態は、当業者が説明されている実施形態を実施できるように十分詳細に説明されているが、これらの例は限定的なものでなく、そのため、他の実施形態が用いられてもよく、説明されている実施形態の趣旨又は範囲から逸脱せずに変更が行われてもよいということが理解されよう。例えば、フローチャートに示されている動作の順序付けは非限定的なものであり、そのため、フローチャートに示され、それに関して説明されている２つ以上の動作の順序付けはいくつかの例示的実施形態に応じて変更することができることは理解されるであろう。別の例として、いくつかの実施形態では、フローチャートに示され、それに関して説明されている１つ以上の動作は任意追加的なものであることができ、省略することができることは理解されるであろう。
【００９６】
更に、上記の説明は、説明の都合上、記載された実施形態についての理解を徹底するために、具体的な呼称を用いた。しかしながら、それらの具体的詳細は、記載される実施形態を実践するために必須のものではないことが、当業者には明らかとなるであろう。それゆえ、上述の具体的な実施形態の説明は、例示及び説明の目的のために提示される。上記の説明に提示された実施形態に関して開示されている実施例の説明は、文脈を加え、記載された実施形態の理解を支援する目的でのみ提供されている。この説明は、排他的であることも、記載された実施形態を開示されたそのものの形態に制限することも意図しない。上記教示を鑑み、多くの改変、代替用途、及び変形例が可能であることが、当業者にとって明らかであろう。この点に関し、これらの具体的詳細の一部又は全部がなくても記載された実施形態が実施され得ることは、当業者であれば容易に理解するであろう。更に、いくつかの事例では、記載された実施形態を無用に曖昧にすることを避けるために、周知の処理工程は詳細には記載されていない。
【図１】
2016509411.tif 000003
【図２】
2016509411.tif 000004
【図３】
2016509411.tif 000005
【図４】
2016509411.tif 000006
【図５】
2016509411.tif 000007
【図６】
2016509411.tif 000008
【図７】
2016509411.tif 000009
【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
測定頻度の低減を通じて電力消費を低減するための方法であって、前記方法は、無線通信機器が、
第１の測定ギャップの間に代替セルの第１の測定を実行することと、
前記第１の測定に少なくとも一部基づき生成された第１の測定レポートをサービングネットワークのサービングセルへ送信することと、
前記無線通信機器の移動性状態を判定することと、
前記移動性状態を移動性閾値基準と比較することであって、前記移動性状態が前記移動性閾値基準を満たす場合には、前記無線通信機器の移動性は移動性閾値を超えない、比較することと、
前記移動性状態が前記移動性閾値基準を満たす場合には、前記第１の測定レポートを第２の測定ギャップのための測定レポートとして前記サービングセルへ再送信することと、
前記移動性状態が前記移動性閾値基準を満たさない場合には、前記第２の測定ギャップの間に前記代替セルの第２の測定を実行し、前記第２の測定に少なくとも一部基づき生成された第２の測定レポートを前記サービングセルへ送信することと、を含むことを特徴とする、測定頻度の低減を通じて電力消費を低減するための方法。
【請求項２】
前記無線通信機器の前記移動性状態を判定することが、前記第１の測定の実行以降における前記無線通信機器の位置の変化を判定することを含み、
前記移動性閾値基準が位置の閾値変化を含み、
前記第１の測定の実行以降における前記無線通信機器の位置の前記変化が位置の前記閾値変化を超えない場合には、前記移動性状態が前記移動性閾値基準を満たすことを特徴とする、請求項１に記載の測定頻度の低減を通じて電力消費を低減するための方法。
【請求項３】
前記無線通信機器の前記移動性状態を判定することが、前記無線通信機器の速度を判定することを含み、
前記移動性閾値基準が閾値速度を含み、
前記無線通信機器の前記速度が前記閾値速度を超えない場合には、前記移動性状態が前記移動性閾値基準を満たすことを特徴とする、請求項１に記載の測定頻度の低減を通じて電力消費を低減するための方法。
【請求項４】
前記無線通信機器の前記移動性状態を判定することが、前記サービングセルの信号品質の変化を判定することを含み、
前記移動性閾値基準が信号品質の閾値変化を含み、
前記サービングセルの信号品質の前記変化が信号品質の前記閾値変化を超えない場合には、前記移動性状態が前記移動性閾値基準を満たすことを特徴とする、請求項１に記載の測定頻度の低減を通じて電力消費を低減するための方法。
【請求項５】
前記サービングネットワークが第１の無線アクセス技術（ＲＡＴ）を用い、前記代替セルが第２のＲＡＴを用い、前記第１の測定レポートがＲＡＴ間（ｉＲＡＴ）測定レポートを含むことを特徴とする、請求項１から４のいずれか一項に記載の測定頻度の低減を通じて電力消費を低減するための方法。
【請求項６】
前記無線通信機器が、
前記移動性状態が前記移動性閾値基準を満たす場合には、前記第２の測定ギャップの間に、前記第２のＲＡＴに関連付けられた第２のスタックを非アクティブ化状態に維持することと、
前記移動性状態が前記移動性閾値基準を満たさない場合には、前記第２の測定ギャップの間に、前記第１のＲＡＴに関連付けられた第１のスタックから前記第２のスタックへ移行することと、を含むことを特徴とする、請求項５に記載の測定頻度の低減を通じて電力消費を低減するための方法。
【請求項７】
前記無線通信機器が、
前記第１の測定レポートは最大閾値数の連続した測定ギャップのために再送信されたのかどうかを判定することと、
前記第１の測定レポートが前記最大閾値数の連続した測定ギャップのために再送信された場合には、たとえ、前記移動性状態が前記移動性閾値基準を満たす場合であっても、前記第２の測定ギャップの間に前記代替セルの前記第２の測定を実行し、前記第２の測定に少なくとも一部基づき生成された前記第２の測定レポートを前記サービングセルへ送信することと、を更に含むことを特徴とする、請求項１から４のいずれか一項に記載の測定頻度の低減を通じて電力消費を低減するための方法。
【請求項８】
前記無線通信機器が、前記移動性状態に少なくとも一部基づき、連続した測定ギャップの前記最大閾値数を定義することを更に含むことを特徴とする、請求項７に記載の測定頻度の低減を通じて電力消費を低減するための方法。
【請求項９】
処理回路を備える無線通信機器であって、前記処理回路は前記無線通信機器に少なくとも、
第１の測定ギャップの間に代替セルの第１の測定を実行させ、
前記第１の測定に少なくとも一部基づき生成された第１の測定レポートをサービングネットワークのサービングセルへ送信させ、
前記無線通信機器の移動性状態を判定させ、
前記移動性状態を移動性閾値基準と比較させ、
前記移動性状態が前記移動性閾値基準を満たす場合には、前記第１の測定レポートを第２の測定ギャップのための測定レポートとして前記サービングセルへ再送信させ、及び
前記移動性状態が前記移動性閾値基準を満たさない場合には、前記第２の測定ギャップの間に前記代替セルの第２の測定を実行させ、前記第２の測定に少なくとも一部基づき生成された第２の測定レポートを前記サービングセルへ送信させる、ように構成されることを特徴とする、処理回路を備える無線通信機器無線通信機器。
【請求項１０】
前記処理回路が、前記無線通信機器に、
少なくとも一部は、前記無線通信機器に、前記第１の測定の実行以降における前記無線通信機器の位置の変化を判定させることによって、前記無線通信機器の前記移動性状態を判定させるように更に構成され、
前記移動性閾値基準が位置の閾値変化を含み、
前記第１の測定の実行以降における前記無線通信機器の位置の前記変化が位置の前記閾値変化を超えない場合には、前記移動性状態が前記移動性閾値基準を満たすことを特徴とする、請求項９に記載の処理回路を備える無線通信機器無線通信機器。
【請求項１１】
前記処理回路が、前記無線通信機器に、
少なくとも一部は、前記無線通信機器に前記無線通信機器の速度を判定させることによって、前記無線通信機器の前記移動性状態を判定させるように更に構成され、
前記移動性閾値基準が閾値速度を含み、
前記無線通信機器の前記速度が前記閾値速度を超えない場合には、前記移動性状態が前記移動性閾値基準を満たすことを特徴とする、請求項９に記載の処理回路を備える無線通信機器無線通信機器。
【請求項１２】
前記処理回路が、前記無線通信機器に、
少なくとも一部は、前記無線通信機器に前記サービングセルの信号品質の変化を判定させることによって、前記無線通信機器の前記移動性状態を判定させるように更に構成され、
前記移動性閾値基準が信号品質の閾値変化を含み、
前記サービングセルの信号品質の前記変化が信号品質の前記閾値変化を超えない場合には、前記移動性状態が前記移動性閾値基準を満たすことを特徴とする、請求項９に記載の処理回路を備える無線通信機器無線通信機器。
【請求項１３】
前記サービングネットワークが第１の無線アクセス技術（ＲＡＴ）を用い、前記代替セルが第２のＲＡＴを用い、前記第１の測定レポートがＲＡＴ間（ｉＲＡＴ）測定レポートを含むことを特徴とする、請求項９から１２のいずれか一項に記載の処理回路を備える無線通信機器無線通信機器。
【請求項１４】
前記処理回路が、前記無線通信機器に、
前記移動性状態が前記移動性閾値基準を満たす場合には、前記第２の測定ギャップの間に、前記第２のＲＡＴに関連付けられた第２のスタックを非アクティブ化状態に維持させ、及び
前記移動性状態が前記移動性閾値基準を満たさない場合には、前記第２の測定ギャップの間に、前記第１のＲＡＴに関連付けられた第１のスタックから前記第２のスタックへ移行させる、ように更に構成されることを特徴とする、請求項１３に記載の処理回路を備える無線通信機器無線通信機器。
【請求項１５】
前記処理回路が、前記無線通信機器に、
前記第１の測定レポートは最大閾値数の連続した測定ギャップのために再送信されたのかどうかを判定させ、及び
前記第１の測定レポートが前記最大閾値数の連続した測定ギャップのために再送信された場合には、たとえ、前記移動性状態が前記移動性閾値基準を満たす場合であっても、前記第２の測定ギャップの間に前記代替セルの前記第２の測定を実行させ、前記第２の測定に少なくとも一部基づき生成された前記第２の測定レポートを前記サービングセルへ送信させる、ように更に構成されることを特徴とする、請求項９から１２のいずれか一項に記載の処理回路を備える無線通信機器無線通信機器。
【請求項１６】
前記処理回路が、前記無線通信機器に、
前記移動性状態に少なくとも一部基づき、連続した測定ギャップの前記最大閾値数を定義させるように更に構成されることを特徴とする、請求項１５に記載の処理回路を備える無線通信機器無線通信機器。
【請求項１７】
命令を記憶する永続的コンピュータ可読記憶媒体であって、前記命令は、無線通信機器の１つ以上のプロセッサによって実行されると、前記無線通信機器に、
第１の測定ギャップの間に代替セルの第１の測定を実行させ、
前記第１の測定に少なくとも一部基づき生成された第１の測定レポートをサービングネットワークのサービングセルへ送信させ、
前記無線通信機器の移動性状態を判定させ、
前記移動性状態を移動性閾値基準と比較させ、
前記移動性状態が前記移動性閾値基準を満たす場合には、前記第１の測定レポートを第２の測定ギャップのための測定レポートとして前記サービングセルへ再送信させ、及び
前記移動性状態が前記移動性閾値基準を満たさない場合には、前記第２の測定ギャップの間に前記代替セルの第２の測定を実行し、前記第２の測定に少なくとも一部基づき生成された第２の測定レポートを前記サービングセルへ送信させる、ことを特徴とする、命令を記憶する永続的コンピュータ可読記憶媒体。
【請求項１８】
前記無線通信機器が、少なくとも、前記第１の測定の実行以降における前記無線通信機器の位置の変化を判定することによって、前記無線通信機器の前記移動性状態を判定し、
前記移動性閾値基準が位置の閾値変化を含み、
前記第１の測定の実行以降における前記無線通信機器の位置の前記変化が位置の前記閾値変化を超えない場合には、前記移動性状態が前記移動性閾値基準を満たすことを特徴とする、請求項１７に記載の命令を記憶する永続的コンピュータ可読記憶媒体。
【請求項１９】
前記無線通信機器が、少なくとも、前記無線通信機器の速度を判定することによって、前記無線通信機器の前記移動性状態を判定し、
前記移動性閾値基準が閾値速度を含み、
前記無線通信機器の前記速度が前記閾値速度を超えない場合には、前記移動性状態が前記移動性閾値基準を満たすことを特徴とする、請求項１７に記載の命令を記憶する永続的コンピュータ可読記憶媒体。
【請求項２０】
前記無線通信機器が、少なくとも、前記サービングセルの信号品質の変化を判定することによって、前記無線通信機器の前記移動性状態を判定し、
前記移動性閾値基準が信号品質の閾値変化を含み、
前記サービングセルの信号品質の前記変化が信号品質の前記閾値変化を超えない場合には、前記移動性状態が前記移動性閾値基準を満たすことを特徴とする、請求項１７に記載の命令を記憶する永続的コンピュータ可読記憶媒体。
【国際調査報告】
2016509411.tif 000010
2016509411.tif 000011